(57)【要約】      （修正有）【課題】看護医療でおこなわれる摘便の負担を少なくし出血を出来るだけ少なくしスムーズに出来る便秘器を提供する。【解決手段】棒部分３と縮小拡大調節部１とからなり、紐状２を備える事が出来、包み引っ張る事も出来、縮小拡大調節部が棒部分の先端に設けられた。【選択図】図１
0003235332.tif 000002
【実用新案登録請求の範囲】
【請求項１】
おしりから、そうにゅうし
内部で、空気、液体、時間などで広げたり、ちぢめたり、出来  はいせつを出来るだけ出血せずにとり出す事が出来ます
【請求項２】
0003235332.tif 000003
スライドし、内部、広げる事も出来ます
【考案の詳細な説明】
【考案の詳細な説明】
【技術分野】
【０００１】本考案は、ベットから動く事が出来ずべんぴで困っておられる方に関するものである。
【背景技術】
【０００２】自分で、トイレに行来事が出来ずテキベンで出血し困ってあり出血を少なくする
べんぴ器を提供します
【考案の概要】
【考案が解決しようとする課題】
【０００３】はいせつ物を体の内部でつつむ事が出来るべんぴ器提供します。
【課題を解決するための手段】
【０００４】棒のベンぴ器内部広げはいせつをつつむ事出来るようにします
【考案の効果】
【０００５】
【図面の簡単な説明】
【０００６】
【図１】べんひ器広げちぢめ出来る図
【図２】スライド出来るベンぴ器
【考案を実施する為の形能】
【実施例】
【０００７】図１は  へんぴ器  正面図【０００８】図２は、スライド出来るベンぴ図
【符号の説明】
【０００９】１、広げた部．２、ひも部分  ３  棒部分
【図１】
0003235332.tif 000004
【図２】
0003235332.tif 000005
【手続補正書】
【提出日】平成30年11月10日(2018.11.10)
【手続補正１】
【補正対象書類名】実用新案登録請求の範囲
【補正対象項目名】全文
【補正方法】変更
【補正の内容】
【実用新案登録請求の範囲】
【請求項１】
べんぴっ器は体内から出る事が出来ない便を包み状に包み、袋状に包み紐状、ロープ、棒状、ワイヤーなどに出来、繋げて引っ張る事により袋状に、包み込むむ事が出来繋げて引っ張り体内から取り出してあげる事が出来る事を特徴とする便ぴっ器。
【手続補正２】
【補正対象書類名】明細書
【補正対象項目名】全文
【補正方法】変更
【補正の内容】
【考案の詳細な説明】
【技術分野】
【０００１】本考案は怪我など様々な状況の中で体に力を入れる事も出来ず、自力でベッドから起きる事も出来ず、トイレに行く事も出来ない時の便秘に関するものである。
【背景技術】
【０００２】座薬を使っても便が出ない場合に、痛がられたり出血と傷がはいる事に負担を感じられる事があるという問題がありました。負担を感じられる事なく、出来るだけ傷が入らないようにスムーズに便を出せる事が出来るようになるべんぴっ器を提供します。
【考案の概要】
【考案が解決しようとする課題】
【０００３】ベッドに寝たきり状態に近い方は便を出すのに座薬を使っても、力を入れる事が出来ないため便が出ない時、どうにかしても出してあげなければいけませんでした。出来るだけ傷が入らないように、便が肛門にたまって出る事が出来ない苦痛からスペースを使い助け出し便を出さなければいけません。べんぴっ器は、わずかな肛門と便の間を通り抜け便を包み出す事の出来る包みと袋、袋状に出来ます。包み出す事が出来ます。
長さを決め、縮小拡大調節留を液体や温度や時間をもちいて調節する事も出来ます。
体内に傷を入れない筒状などの外側と内側を使い縮小拡大調節も出来、体内の便を包み込み取り出す事も出来ます。体内に傷が入らない棒や筒状にして縮小拡大調節を紐状や体内に傷の入らないべんぴっ器縮小拡大調節留めで留めたり広げたりする事も出来ます。
【課題を解決するための手段】
【０００４】最初の入口は小さく体内肛門に入る事が出来、体内肛門適した位置に入ったらたら広がり便を包む事も出来ます。
体内に傷が入らない許容範囲広げ便を包み込み体内に傷が入らない紐状や棒状などで繋ぎ入れ包み袋状にし引っ張り出す事が出来ます。
体内に傷を入れない筒状などの外側と内側を使い体内の便を包み込み縮小拡大出来ます。体内に傷が入らない棒や筒状にして縮小拡大調節を紐状や体内に傷の入らないべんぴっ器縮小拡大調節留めで留めたり広げたりする事も出来ます。
紐状、ロープ、棒状、ワイヤー状を調節し留める事も出来、繋げて引き出す事が出来ます。
【考案の効果】
【０００５】体内に傷が入らない許容範囲広げ便を包み込み体内に傷が入らない紐状や棒状などで繋ぎ入れ包み袋状にし引っ張り出す事が出来ます。
体内に傷を入れない筒状などの外側と内側を使い体内の便を包み込み縮小拡大出来ます。体内に傷が入らない棒や筒状にして縮小拡大調節を紐状や体内に傷の入らないべんぴっ器縮小拡大調節留めで留めたり広げたりする事も出来ます。
紐状、棒状、細いロープワイヤー状を調節し留める事も出来ます。紐状、棒状、細いロープワイヤー状を調節し繋げて引き出す事が出来ます。
体内を傷つけないように、べんぴっ器を肛門から挿入し適した所で広がり便を包み取り出す事が出来るべんぴっぴ器を提供します。
【図面の簡単な説明】
【０００６】
【図１】べんぴっ器図
【考案を実施するための形態】
【実施例】
【０００７】図１はべんぴっ器全体図
【符号の説明】
【０００８】１、べんぴっ器、外側
２、べんぴっ器、内側包み、袋、
３、べんぴっ器、紐状、ロープ、棒状、ワイヤー
【手続補正４】
【補正対象書類名】図面
【補正対象項目名】全図
【補正方法】変更
【補正の内容】
【図１】
0003235332.tif 000006
【手続補正書】
【提出日】令和2年10月28日(2020.10.28)
【手続補正１】
【補正対象書類名】実用新案登録請求の範囲
【補正対象項目名】全文
【補正方法】変更
【補正の内容】
【実用新案登録請求の範囲】
【請求項１】
べんぴっ器において便を４で押し出し網紐袋状に包み網紐ワイヤーロープ・棒状で繋げて引っ張る事により体内から取り出してあげる事が出来る事を特徴とするべんぴっ器。
【手続補正２】
【補正対象書類名】明細書
【補正対象項目名】全文
【補正方法】変更
【補正の内容】
【考案の詳細な説明】
【技術分野】
【０００１】
本考案は怪我など様々な状況の中で体に力を入れる事も出来ず、自力でベッドから起きる事も出来ず、トイレに行く事も出来ない時の便秘に関するものである。
【背景技術】
【０００２】
座薬を使っても便が出ない場合に、痛がられたり出血と傷がはいる事に負担を感じられる事があるという問題がありました。負担を感じられる事なく、出来るだけ傷が入らないようにスムーズに便を出せる事が出来るようになるべんぴっ器を提供します。
【考案の概要】
【考案が解決しようとする課題】
【０００３】
ベッドに寝たきり状態に近い方は便を出すのに座薬を使っても、力を入れる事が出来ないため便が出ない時、どうにかしても出してあげなければいけませんでした。出来るだけ傷が入らないように、便が肛門にたまって出る事が出来ない苦痛から使い助け出し便を出さなければいけません。べんぴっ器は、わずかな肛門と便の間を通り抜け便を円盤状にし押し出す事が出来、包み出す事の出来る網袋状に出来ます。網袋状の素材は使用に応じて選べます。縮小拡大調節留を液体や温度や時間をもちいて調節する事も出来ます。体内に傷を入れない筒状などの外側と内側を使い縮小拡大調節も出来、体内の便を包み込み取り出す事も出来ます。体内に傷が入らない棒や筒状にして縮小拡大調節を紐状や体内に傷の入らないべんぴっ器縮小拡大調節留めで留めたり広げたりする事も出来ます。
【課題を解決するための手段】
【０００４】
最初の入口は小さく体内肛門に入る事が出来、体内肛門適した位置に入ったらたら広がり便を包む事も出来ます。
体内に傷が入らない許容範囲広げ便を包み込み体内に傷が入らない紐状や棒状などで繋ぎ入れ包み袋状にし引っ張り出す事が出来ます。
細いワイヤー状を細い筒から出し広げたり狭くしたりして便を押しだす事が出来ます。  
体内に傷を入れない筒状などの外側と内側を使い体内の便を包み込み縮小拡大出来ます。体内に傷が入らない棒や筒状にして縮小拡大調節を紐状や体内に傷の入らないべんぴっ器縮小拡大調節留めで留めたり広げたりする事も出来ます。
紐状、ロープ、棒状、ワイヤー状を調節し留める事も出来、繋げて引き出す事が出来ます。
【考案の効果】
【０００５】
体内に傷が入らない許容範囲広げ便を包み込み体内に傷が入らない紐状や棒状などで繋ぎ入れ包み袋状にし引っ張り出す事が出来ます。  
体内に傷を入れない筒状などの外側と内側を使い体内の便を包み込み縮小拡大出来ます。体内に傷が入らない棒や筒状にして縮小拡大調節を紐状や体内に傷の入らないべんぴっ器縮小拡大調節留めで留めたり広げたりする事も出来ます。
紐状、棒状、細いロープワイヤー状を調節し留める事も出来ます。紐状、棒状、細いロープワイヤー状を調節し繋げて引き出す事が出来ます。
体内を傷つけないように、べんぴっ器を肛門から挿入し適した所で広がり便を包み取り出す事が出来る。
細いワイヤー状を細い筒から出し広げたり狭くしたりして便を押しだす事も出来るべんぴっ器を提供します。
【図面の簡単な説明】
【０００６】
【図１】べんぴっ器図
【考案を実施するための形態】
【実施例】
【０００７】
図１はべんぴっ器全体図
【符号の説明】
【０００８】
１、べんぴっ器、外側包み、網紐袋、(内外１本でも２本でもできる)
２、べんぴっ器、内側ワイヤー網紐状棒状(内外１本でも２本でもできる)
３、べんぴっ器、外側網状二重棒状、ワイヤー状(網紐状二重棒状ワイヤー状の素材材料は使いやすい材料を使用する事が可能です。)
４、べんぴっ器、内側円盤状ワイヤー状
【手続補正３】
【補正対象書類名】図面
【補正対象項目名】全図
【補正方法】変更
【補正の内容】
【図１】
0003235332.tif 000007
【手続補正書】
【提出日】令和3年2月12日(2021.2.12)
【手続補正１】
【補正対象書類名】実用新案登録請求の範囲
【補正対象項目名】全文
【補正方法】変更
【補正の内容】
【実用新案登録請求の範囲】
【請求項１】
敵ベン作業を器械器具で安全に器械器具で作業出来るようにした便を押し一本又は二重筒状円盤状深さ調節でき包む事も出来るワイヤー状袋状で先端広げたりちじめたりすることが出来るゴム、ビニール、シリコン、プラスティック、布、紐、金属、などで出来る事を特徴とするベンぴっぴ。
【手続補正書】
【提出日】令和3年5月14日(2021.5.14)
【手続補正１】
【補正対象書類名】実用新案登録請求の範囲
【補正対象項目名】全文
【補正方法】変更
【補正の内容】
【実用新案登録請求の範囲】
【請求項１】
摘便を器具を使い出来るようにした便秘器は、便秘器先端部分は、袋状に便を包むために、可能な範囲調節出来ます。袋状に包まずに使用する時は、便秘器を調節し押し出し使用する事も出来ます。出口を開ける事も出来る事を特徴とし先端に設けられた縮小拡大調節部を備えた便秘器。
【手続補正書】
【提出日】令和3年8月20日(2021.8.20)
【手続補正１】
【補正対象書類名】実用新案登録請求の範囲
【補正対象項目名】全文
【補正方法】変更
【補正の内容】
【実用新案登録請求の範囲】
【請求項１】
棒部分と縮小拡大調節部とからなり、紐状を備える事が出来、包み引っ張る事も出来、  前記縮小拡大調節部が前記棒部分の先端に設けられたことを特徴とする摘便を出来る便秘器。